(57)【要約】【課題】  Ｅ-ＡＧＣＨのフレームタイミングの明確化を計り、ＨＳチャネルに割り当てられた送信電力リソースが有効に活用する。【解決手段】  本発明は、上り伝送速度割当共有物理制御チャネルを用いて、移動局から無線基地局に対して送信するユーザデータの伝送速度を制御し、下りデータ伝送共有物理チャネルを用いて、前記無線基地局から前記移動局に対してユーザデータを送信するように構成されている移動通信システムに関する。かかる移動通信システムにおいて、上り伝送速度割当共有物理制御チャネルの送信フレームタイミングを、下りデータ伝送共有物理チャネルの送信フレームタイミングに一致させる。【選択図】  図６
2006217190.tif 000002
【特許請求の範囲】
【請求項１】
上り伝送速度割当共有物理制御チャネルを用いて、移動局から無線基地局に対して送信するユーザデータの伝送速度を制御し、下りデータ伝送共有物理チャネルを用いて、前記無線基地局から前記移動局に対してユーザデータを送信するように構成されている移動通信システムであって、
前記上り伝送速度割当共有物理制御チャネルの送信フレームタイミングを、前記下りデータ伝送共有物理チャネルの送信フレームタイミングに一致させることを特徴とする移動通信システム。
【請求項２】
上り伝送速度割当共有物理制御チャネルを用いて、移動局から無線基地局に対して送信するユーザデータの伝送速度を制御し、下りデータ伝送共有物理チャネルを用いて、前記無線基地局から前記移動局に対してユーザデータを送信するように構成されている移動通信システムで用いられる無線基地局であって、
前記上り伝送速度割当共有物理制御チャネルの送信フレームタイミングを、前記下りデータ伝送共有物理チャネルの送信フレームタイミングに一致させるように構成されていることを特徴とする無線基地局。
【請求項３】
上り伝送速度割当共有物理制御チャネルを用いて、移動局から無線基地局に対して送信するユーザデータの伝送速度を制御し、下りデータ伝送共有物理チャネルを用いて、前記無線基地局から前記移動局に対してユーザデータを送信するように構成されている移動通信システムで用いられる移動局であって、
前記上り伝送速度割当共有物理制御チャネルの送信フレームタイミングと、前記下りデータ伝送共有物理チャネルの送信フレームタイミングとが一致していると想定して、前記上り伝送速度割当共有物理制御チャネル及び前記下りデータ伝送共有物理チャネルを受信するように構成されていることを特徴とする移動局。
【発明の詳細な説明】
【技術分野】
【０００１】
本発明は、上り伝送速度割当共有物理制御チャネルを用いて、移動局から無線基地局に対して送信するユーザデータの伝送速度を制御し、下りデータ伝送共有物理チャネルを用いて、前記無線基地局から前記移動局に対してユーザデータを送信するように構成されている移動通信システム、かかる移動通信システムで用いられる無線基地局及び移動局に関する。
【背景技術】
【０００２】
第３世代の移動通信システムの国際標準化団体である「３ＧＰＰ」において、下りリンクの無線リソースを有効利用するために、無線基地局ＮｏｄｅＢと移動局ＵＥとの間のレイヤ１及びＭＡＣサブレイヤにおける高速な無線リソース制御方法が既に仕様化されている。かかる機能を総称して「ＨＳＤＰＡ（Ｈｉｇｈ  Ｓｐｅｅｄ  Ｄｏｗｎｌｉｎｋ  Ｐａｃｋｅｔ  Ａｃｃｅｓｓ）」と呼ぶ（非特許文献１参照）。
【０００３】
ＨＳＤＰＡでは、物理データチャネルとして「ＨＳ-ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）」が用いられている。
【０００４】
ＨＳ-ＰＤＳＣＨは、共有チャネルであり、特定のＨＳ-ＰＤＳＣＨサブフレームでは、特定の移動局に対してのみ、下りユーザデータが送信される。
【０００５】
ここで、ＨＳ-ＰＤＳＣＨサブフレーム長は、２ｍｓ（３スロット）であり、図７に示すように、２ｍｓ毎に、ＨＳ-ＰＤＳＣＨによって下りユーザデータを送信する移動局を変えることができる。
【０００６】
また、ＨＳ-ＰＤＳＣＨによって送信されるユーザデータには、ＡＭＣ（Ａｄａｐｔｉｖｅ  Ｍｏｄｕｌａｔｉｏｎ  ａｎｄ  Ｃｏｄｉｎｇ）が適用されており、かかるユーザデータのＴＢＳ（Ｔｒａｎｓｐｏｒｔ  Ｂｌｏｃｋ  Ｓｉｚｅ）は、移動局ＵＥの伝搬チャネル品質や無線基地局ＮｏｄｅＢの空き送信電力リソースに応じて適応的に変更される。ここで、ＴＢＳとは、ＨＳ-ＰＤＳＣＨサブフレームによって伝送されるユーザデータ量である。
【０００７】
具体的には、ＨＳＤＰＡでは、図７に示すように、移動局ＵＥの伝搬チャネル品質が良いほど、又は、無線基地局ＮｏｄｅＢの空き送信電力リソースが多いほど、ＨＳ-ＰＤＳＣＨによって送信されるユーザデータのＴＢＳが大きくなり、ＨＳ-ＰＤＳＣＨによって送信されるユーザデータの伝送速度が高くなるように構成されている。
【０００８】
また、ＨＳＤＰＡでは、物理制御チャネルとして「ＨＳ-ＳＣＣＨ（Ｈｉｇｈ  Ｓｐｅｅｄ  Ｓｈａｒｅｄ  Ｃｏｎｔｒｏｌ  Ｃｈａｎｎｅｌ）が用いられている。
【０００９】
ＨＳ-ＳＣＣＨでは、移動局識別子（ＵＥ-ＩＤ）やＴＢＳ等といった移動局ＵＥがＨＳ-ＰＤＳＣＨを正しく受信するために必要な制御情報が送信される。
【００１０】
ＨＳ-ＳＣＣＨサブフレーム長は、ＨＳ-ＰＤＳＣＨサブフレーム長と同じ２ｍｓであるが、ＨＳ-ＳＣＣＨサブフレームは、ＨＳ-ＰＤＳＣＨサブフレームより２スロット早いフレームタイミングで送信される。
【００１１】
したがって、図７に示すように、ＨＳ-ＳＣＣＨサブフレームの１スロット目に、移動局識別子がマッピングされているので、移動局ＵＥは、他の移動局ＵＥに割り当てられたＨＳ-ＰＤＳＣＨサブフレームを受信しなくてすむ。
【００１２】
このように、ＨＳ-ＳＣＣＨとＨＳ-ＰＤＳＣＨの送信フレームタイミングをずらすことにより、移動局ＵＥは、他の移動局ＵＥに割り当てられたＨＳ-ＰＤＳＣＨサブフレームを受信しなくてよくなった。
【００１３】
しかし、その一方で、ＨＳ-ＳＣＣＨとＨＳ-ＰＤＳＣＨの送信フレームタイミングをずらしたことにより、無線基地局ＮｏｄｅＢにおける送信電力リソースを、ＨＳ-ＰＤＳＣＨに完全に割り当てられなくなってしまうという問題点が生じた。
【００１４】
図８を参照して、かかる問題点について詳細に説明する。
【００１５】
第１に、無線基地局ＮｏｄｅＢは、ＨＳチャネル（ＨＳ-ＰＤＳＣＨ及びＨＳ-ＳＣＣＨ）に割り当てる送信電力リソースを決める。
【００１６】
かかる送信電力リソースの割り当ては、過去の非ＨＳチャネル（ＨＳ-ＰＤＳＣＨ及びＨＳ-ＳＣＣＨ以外のチャネル）のａｃｔｉｖｉｔｙに基づき、非ＨＳチャネルに適切な送信電力リソースを割り当てる。
【００１７】
一般的に、ＨＳチャネルに割り当てられる送信電力リソースは、１０〜１００ｍｓ毎に更新される。
【００１８】
第２に、無線基地局ＮｏｄｅＢは、ＨＳ-ＳＣＣＨに割り当てる送信電力リソースを求める。
【００１９】
ＨＳ-ＳＣＣＨの伝送速度及び所要品質（所要ＢＬＥＲ）は一定なので、ＨＳ-ＳＣＣＨに割り当てる送信電力リソースは、当該ＨＳ-ＳＣＣＨサブフレームに対応するＨＳ-ＰＤＳＣＨサブフレームが割り当てられている移動局ＵＥの伝搬チャネル品質により一意に決まる。
【００２０】
ＨＳ-ＰＤＳＣＨが、サブフレーム毎に異なる移動局ＵＥに割り当てられる場合は、ＨＳ-ＳＣＣＨに割り当てられる電力もサブフレーム毎に異なる。
【００２１】
第３に、無線基地局ＮｏｄｅＢは、ＨＳ-ＰＤＳＣＨに割り当てる送信電力リソースを求める。
【００２２】
ＨＳ-ＰＤＳＣＨに割り当てる送信電力リソースは、ＨＳチャネルに割り当てられた送信電力リソースから、ＨＳ-ＳＣＣＨに割り当てられた送信電力リソースを引くことによって求められる。
【００２３】
この時、考慮するべきＨＳ-ＳＣＣＨサブフレームは、当該ＨＳ-ＰＤＳＣＨサブフレームに対応するＨＳ-ＳＣＣＨサブフレームと、その次のＨＳ-ＰＤＳＣＨサブフレームに対応するＨＳ-ＳＣＣＨサブフレームのうち、より多くの送信電力リソースを必要とするＨＳ-ＳＣＣＨサブフレームである。
【００２４】
これは、ＨＳ-ＳＣＣＨの送信フレームタイミングが、ＨＳ-ＰＤＳＣＨの送信フレームタイミングより２スロット早いため、特定のＨＳ-ＰＤＳＣＨサブフレームは、当該ＨＳ-ＰＤＳＣＨサブフレームに対応するＨＳ-ＳＣＣＨサブフレーム及び次のＨＳ-ＰＤＳＣＨサブフレームに対応するＨＳ-ＳＣＣＨサブフレームの両方と送信タイミングが重なるためである。
【００２５】
図８に、無線基地局ＮｏｄｅＢにおける送信電力リソースの割り当ての流れを示す。
【００２６】
無線基地局ＮｏｄｅＢは、Ｔ０において、ＨＳチャネルに対する送信電力リソースを割り当てている。
【００２７】
そして、無線基地局ＮｏｄｅＢは、Ｔ２において、ＨＳ-ＳＣＣＨサブフレーム＃１の送信を開始している。ここで、無線基地局ＮｏｄｅＢは、ＨＳ-ＳＣＣＨサブフレーム＃１によって、ＨＳ-ＰＤＳＣＨサブフレーム＃１のＴＢＳを送信する必要がある。すなわち、Ｔ１において、ＨＳ-ＰＤＳＣＨサブフレーム＃１に割り当てられる送信電力リソースが既に決まっている必要がある。
【００２８】
そして、ＨＳ-ＰＤＳＣＨサブフレーム＃１に割り当てられる送信電力リソースを決めるには、ＨＳ-ＳＣＣＨサブフレーム＃２に割り当てる送信電力リソースが決まっている必要がある、すなわち、どの移動局ＵＥに対してＨＳ-ＰＤＳＣＨサブフレーム＃２を割り当てるのかについて決まっている必要がある。
【００２９】
例えば、無線基地局ＮｏｄｅＢは、Ｔ１までには、どの移動局ＵＥに対してＨＳ-ＳＣＣＨサブフレーム＃２を割り当てるのかについて既にスケジュールしている必要がある。
【００３０】
そして、無線基地局ＮｏｄｅＢは、ＨＳ-ＳＣＣＨサブフレーム＃１に割り当てられる送信電力リソースの方がＨＳ-ＳＣＣＨサブフレーム＃２に割り当てられる送信電力リソースよりも高いので、ＨＳ-ＰＤＳＣＨサブフレーム＃１に割り当てる送信電力リソースを、Ｔ０においてＨＳチャネルに割り当てられた送信電力リソースからＨＳ-ＳＣＣＨサブフレーム＃１に割り当てられた送信電力リソースを引いたものとする。
【００３１】
かかる場合、図８にも示すように、ＨＳ-ＰＤＳＣＨサブフレーム＃１の１スロット目では、ＨＳチャネルに割り当てられた送信電力リソースが無駄なく活用されているが、ＨＳ-ＰＤＳＣＨサブフレーム＃１の２スロット目と３スロット目では、ＨＳ-ＳＣＣＨサブフレーム＃２に割り当てられる送信電力リソースがＨＳ-ＳＣＣＨサブフレーム＃１に割り当てられる送信電力リソースよりも大幅に少ないため、送信電力リソースが完全にＨＳ-ＰＤＳＣＨに割り当てられていない。
【００３２】
このように、従来のＨＳＤＰＡでは、ＨＳ-ＳＣＣＨとＨＳ-ＰＤＳＣＨの送信フレームタイミングが合っていないため、せっかくＨＳチャネルに割り当てられた送信電力リソースが完全に活用できないケースが発生し得るという問題点があった。
【００３３】
また、「３ＧＰＰ」において、上り無線リソースを有効利用するために、無線基地局ＮｏｄｅＢと移動局ＵＥと間のレイヤ１及びＭＡＣサブレイヤにおける高速な無線リソース制御方法が検討されてきた。以下、かかる検討又は機能を総称して「ＥＵＬ（Ｅｎｈａｎｃｅｄ  Ｕｐｌｉｎｋ）」と呼ぶ。
【００３４】
図９乃至図１１を参照して、３ＧＰＰにおけるＥＵＬの検討結果として決定した内容の一部を示す（非特許文献２乃至６参照）。
【００３５】
図９を参照して、ＥＵＬにおいて、移動局ＵＥがユーザデータを無線基地局ＮｏｄｅＢに送信する動作について説明する。
【００３６】
ステップＳ１００１及びＳ１００２において、無線基地局ＮｏｄｅＢに送信する上りユーザデータを、Ｅ-ＤＣＨ（Ｅｎｈａｎｃｅｄ  Ｄｅｄｉｃａｔｅｄ  Ｃｈａｎｎｅｌ）にマッピングする。
【００３７】
ここで、Ｅ-ＤＣＨは、トランスポートチャネルであり、ユーザデータの無線区間における「ＱｏＳ（Ｑｕａｌｉｔｙ  ｏｆ  Ｓｅｒｖｉｃｅ）制御」は、かかるトランスポートチャネル単位で行われる。具体的には、上りユーザデータのＱｏＳは、トランスポートチャネルに施す符号化処理や再送制御処理等により設定される。
【００３８】
移動局ＵＥは、ステップＳ１００３において、Ｅ-ＤＣＨにマッピングした上りユーザデータを符号化し、ステップＳ１００４において、符号化した上りユーザデータをＥ-ＤＰＤＣＨ（Ｅｎｈａｎｃｅｄ  Ｄｅｄｉｃａｔｅｄ  Ｐｈｙｓｉｃａｌ  Ｄａｔａ  Ｃｈａｎｎｅｌ）にマッピングし、ステップＳ１００５において、無線基地局ＮｏｄｅＢに対してＥ-ＤＰＤＣＨにマッピングした上りユーザデータを送信する。
【００３９】
ここで、Ｅ-ＤＰＤＣＨは、物理チャネルであり、無線区間における伝送方式が、かかる物理チャネルによって決定される。具体的には、物理チャネルの種類によって、変調方式や拡散率や直交化コード等が決定される。
【００４０】
次に、図１０を参照して、ＥＵＬにおいて、無線基地局ＮｏｄｅＢが移動局ＵＥによって送信されるＥ-ＤＣＨ（Ｅ-ＤＰＤＣＨ）の送信電力を制御する動作について説明する。
【００４１】
ステップＳ２００１及びＳ２００２において、無線基地局ＮｏｄｅＢが、移動局ＵＥにおける送信バッファ状況や送信電力状況や、無線基地局ＮｏｄｅＢにおける干渉電力状況等を考慮して、ＡＧ（Ａｂｓｏｌｕｔｅ  Ｇｒａｎｔ）を生成する。ここで、ＡＧは、無線基地局ＮｏｄｅＢが移動局ＵＥに対して許可するＥ-ＤＣＨ（Ｅ-ＤＰＤＣＨ）の伝送に使用する絶対送信電力に関する情報である。
【００４２】
無線基地局ＮｏｄｅＢは、ステップＳ２００３において、ＡＧを符号化した後、ステップＳ２００４において、かかるＡＧをＥ-ＡＧＣＨ（Ｅ-ＤＣＨ  Ａｂｓｏｌｕｔｅ  Ｇｒａｎｔ  Ｃｈａｎｎｅｌ）にマッピングして、ステップＳ２００５において、ＡＧがマッピングされているＥ-ＡＧＣＨを移動局ＵＥに通知する。ここで、Ｅ-ＡＧＣＨは、物理チャネルである。
【００４３】
ステップＳ２００６において、移動局ＵＥは、受信したＡＧ（＝Ｘ）に従い、Ｅ-ＤＣＨ（Ｅ-ＤＰＤＣＨ）の伝送を行う。具体的には、移動局ＵＥは、無線基地局ＮｏｄｅＢによって許可されたＥ-ＤＣＨ（Ｅ-ＤＰＤＣＨ）の伝送に使用する絶対送信電力を超えない範囲で、Ｅ-ＤＣＨ（Ｅ-ＤＰＤＣＨ）の伝送を行う。
【００４４】
上述のとおり、Ｅ-ＡＧＣＨは、無線基地局ＮｏｄｅＢによって生成されたＡＧを移動局ＵＥに通知する物理制御チャネルであると共に、共有チャネルである。すなわち、Ｅ-ＡＧＣＨは、上り伝送速度割当共有物理制御チャネルである。
【００４５】
図１１（ｂ）に示すように、ＥＵＬによって無線基地局ＮｏｄｅＢとの間で通信している複数の移動局ＵＥ＃１乃至ＵＥ＃ｋに対するＡＧは、１つのＥ-ＡＧＣＨに時間多重される。
【００４６】
具体的には、複数の移動局ＵＥ＃１乃至ＵＥ＃ｋに対するＡＧは、移動局識別子を付与され、Ｅ-ＡＧＣＨサブフレーム単位で時間多重される。ここで、Ｅ-ＡＧＣＨサブフレームは、２ｍｓ若しくは１０ｍｓで運用される。
【００４７】
移動局ＵＥ＃１乃至ＵＥ＃ｋは、Ｅ-ＡＧＣＨを常に受信しており、受信したＥ-ＡＧＣＨに係るＡＧに付与されている移動局識別子が、自身の移動局識別子と一致する場合のみ、当該ＡＧをＥ-ＤＣＨ伝送に反映させ、両者が一致しない場合は、当該ＡＧを破棄するように構成されている。
【００４８】
無線基地局ＮｏｄｅＢが、Ｅ-ＡＧＣＨに使用する送信電力は、ＡＧを送る移動局ＵＥの伝播チャネル品質により決まる。
【００４９】
具体的には、ＡＧを通知する移動局ＵＥの伝播チャネル品質が悪い場合は、Ｅ-ＡＧＣＨの送信電力を高く設定し、逆に、ＡＧを通知する移動局ＵＥの伝播チャネル品質が良い場合は、Ｅ-ＡＧＣＨの送信電力を低く設定する。すなわち、無線基地局ＮｏｄｅＢが、Ｅ-ＡＧＣＨに費やす送信電力は、Ｅ-ＡＧＣＨサブフレーム毎に大きく変動する可能性がある。
【００５０】
しかし、ＥＵＬの検討にあたって、Ｅ-ＡＧＣＨの送信フレームタイミングについては、まだ明確化が行われていない。
【００５１】
ここで、上りにＥＵＬと適用し、下りにＨＳＤＰＡを適用することを考えた場合、Ｅ-ＡＧＣＨの送信フレームタイミングを、ＨＳ-ＳＣＣＨの送信フレームタイミングと同様に、ＨＳ-ＰＤＳＣＨの送信フレームタイミングからずらした場合、図８に示すように、ＨＳチャネルに割り当てられた送信電力リソースを余してしまうという問題点を、より一層広めることになる。
【非特許文献１】３ＧＰＰ  ＴＳ２５.３０８  ｖ６.３.０、２００４年１２月
【非特許文献２】３ＧＰＰ  ＴＳ２５.２１１  Ｖ６.３.０、２００４年１２月
【非特許文献３】３ＧＰＰ  ＴＳ２５.２１２  Ｖ６.３.０、２００４年１２月
【非特許文献４】３ＧＰＰ  ＴＳ２５.２１３  Ｖ６.１.０、２００４年１２月
【非特許文献５】３ＧＰＰ  ＴＳ２５.２１４  Ｖ６.４.０、２００４年１２月
【非特許文献６】３ＧＰＰ  ＴＳ２５.３０９  Ｖ６.１.０、２００４年１２月
【発明の開示】
【発明が解決しようとする課題】
【００５２】
上述のように、従来のＨＳＤＰＡでは、ＨＳ-ＳＣＣＨとＨＳ-ＰＤＳＣＨの送信フレームタイミングが合っておらず、従来のＥＵＬでは、Ｅ-ＡＧＣＨの送信フレームタイミングについて明確に規定されていないため、Ｅ-ＡＧＣＨとＨＳ-ＰＤＳＣＨの送信フレームタイミングもが一致しないケースが想定され、ＨＳチャネルに割り当てられた送信電力リソースが更に有効に活用できないケースが生じ得るという問題点があった。
【００５３】
そこで、本発明は、以上の点に鑑みてなされたもので、Ｅ-ＡＧＣＨの送信フレームタイミングの明確化を計り、ＨＳチャネルに割り当てられた送信電力リソースが有効に活用することができる移動通信システム、かかる移動通信システムで用いられる無線基地局及び移動局を提供することを目的とする。
【課題を解決するための手段】
【００５４】
本発明の第１の特徴は、上り伝送速度割当共有物理制御チャネルを用いて、移動局から無線基地局に対して送信するユーザデータの伝送速度を制御し、下りデータ伝送共有物理チャネルを用いて、前記無線基地局から前記移動局に対してユーザデータを送信するように構成されている移動通信システムであって、前記上り伝送速度割当共有物理制御チャネルの送信フレームタイミングを、前記下りデータ伝送共有物理チャネルの送信フレームタイミングに一致させることを要旨とする。
【００５５】
本発明の第２の特徴は、上り伝送速度割当共有物理制御チャネルを用いて、移動局から無線基地局に対して送信するユーザデータの伝送速度を制御し、下りデータ伝送共有物理チャネルを用いて、前記無線基地局から前記移動局に対してユーザデータを送信するように構成されている移動通信システムで用いられる無線基地局であって、前記上り伝送速度割当共有物理制御チャネルの送信フレームタイミングを、前記下りデータ伝送共有物理チャネルの送信フレームタイミングに一致させるように構成されていることを要旨とする。
【００５６】
本発明の第３の特徴は、上り伝送速度割当共有物理制御チャネルを用いて、移動局から無線基地局に対して送信するユーザデータの伝送速度を制御し、下りデータ伝送共有物理チャネルを用いて、前記無線基地局から前記移動局に対してユーザデータを送信するように構成されている移動通信システムで用いられる移動局であって、前記上り伝送速度割当共有物理制御チャネルの送信フレームタイミングと、前記下りデータ伝送共有物理チャネルの送信フレームタイミングとが一致していると想定して、前記上り伝送速度割当共有物理制御チャネル及び前記下りデータ伝送共有物理チャネルを受信するように構成されていることを要旨とする。
【発明の効果】
【００５７】
以上説明したように、本発明によれば、Ｅ-ＡＧＣＨ（上り伝送速度割当共有物理制御チャネル）の送信フレームタイミングの明確化を計り、ＨＳチャネルに割り当てられた送信電力リソースが有効に活用することができる移動通信システム、かかる移動通信システムで用いられる無線基地局及び移動局を提供することができる。
【発明を実施するための最良の形態】
【００５８】
（本発明の一実施形態に係る移動通信システム）
図１乃至図６を参照して、本発明の一実施形態に係る移動通信システムについて説明する。
【００５９】
図１（ａ）に示すように、本実施形態に係る移動通信システムでは、上りリンクにおけるユーザデータ送信には、ＥＵＬを適用し、下りリンクにおけるユーザデータ送信には、ＨＳＤＰＡを適用するものとする。
【００６０】
ここで、上りリンクとは、移動局ＵＥから無線基地局ＮｏｄｅＢに対して信号を送信する無線通信リンクであり、下りリンクとは、無線基地局ＮｏｄｅＢから移動局ＵＥに対して信号を送信する無線通信リンクである。
【００６１】
図１（ｂ）に示すように、本実施形態に係る移動通信システムでは、下りリンクにおいて、ＨＳ-ＳＣＣＨとＨＳ-ＰＤＳＣＨ（下りデータ伝送共有物理チャネル）とＥ-ＡＧＣＨ（上り伝送速度割当共有物理制御チャネル）の３本の共有チャネルが、無線基地局ＮｏｄｅＢから移動局ＵＥに対して送信される。
【００６２】
図２に示すように、本実施形態に係る無線基地局ＮｏｄｅＢは、送信電力リソース割り当て部１１と、ＨＳ-ＳＣＣＨ送信部１２と、ＨＳ-ＰＤＳＣＨ送信部１３と、Ｅ-ＡＧＣＨ送信部１４とを具備している。
【００６３】
送信電力リソース割り当て部１１は、ＨＳ-ＳＣＣＨとＨＳ-ＰＤＳＣＨとＥ-ＡＧＣＨとに対して、送信電力リソースを割り当てるように構成されている。具体的な送信電力リソースの割り当て方法を、図４を参照して説明する。
【００６４】
図４に示すように、ステップＳ１０１において、送信電力リソース割り当て部１１は、ＨＳ-ＳＣＣＨ、ＨＳ-ＰＤＳＣＨ、Ｅ-ＡＧＣＨ以外のチャネルに対して、マージンを含む適切な送信電力リソースを割り当てる。そして、送信電力リソース割り当て部１１は、無線基地局総送信電力リソースにおける残りの送信電力リソースを、ＨＳ-ＳＣＣＨ、ＨＳ-ＰＤＳＣＨ、Ｅ-ＡＧＣＨに対して割り当てる。かかる送信電力リソースの割り当ては、１０〜１００ｍｓ周期で更新される。
【００６５】
ステップＳ１０２において、送信電力リソース割り当て部１１は、サブフレーム単位で、ＨＳ-ＳＣＣＨ及びＥ-ＡＧＣＨの所要送信電力を算出して送信電力リソースを割り当てる。
【００６６】
ステップＳ１０３において、送信電力リソース割り当て部１１は、サブフレーム単位で、無線基地局総送信電力リソースにおける残りの送信電力リソースを、ＨＳ-ＰＤＳＣＨに割り当てる。
【００６７】
ＨＳ-ＳＣＣＨ送信部１２は、送信電力リソース割り当て部１１によって割り当てられた送信電力リソースを用いて、所定のフレームタイミングで（すなわち、ＨＳ-ＰＤＳＣＨのフレームタイミングよりも２スロット分早いタイミングで）、ＨＳ-ＳＣＣＨサブフレームを送信するように構成されている。
【００６８】
ＨＳ-ＰＤＳＣＨ送信部１３は、送信電力リソース割り当て部１１によって割り当てられた送信電力リソースを用いて、所定のフレームタイミングで（すなわち、ＨＳ-ＳＣＣＨのフレームタイミングよりも２スロット分遅いタイミングで）、ＨＳ-ＰＤＳＣＨサブフレームを送信するように構成されている。
【００６９】
Ｅ-ＡＧＣＨ送信部１４は、送信電力リソース割り当て部１１によって割り当てられた送信電力リソースを用いて、所定のフレームタイミングで、Ｅ-ＡＧＣＨサブフレームを送信するように構成されている。
【００７０】
具体的には、Ｅ-ＡＧＣＨ送信部１４は、Ｅ-ＡＧＣＨ（上り伝送速度割当共有物理制御チャネル）の送信フレームタイミングを、ＨＳ-ＰＤＳＣＨ（下りデータ伝送共有物理チャネル）の送信フレームタイミングに一致させるように構成されている。
【００７１】
以下、Ｅ-ＡＧＣＨの送信フレームタイミングを、ＨＳ-ＰＤＳＣＨの送信フレームタイミングに一致させることの効果について説明する。
【００７２】
図８を参照して、従来のＨＳＤＰＡでは、ＨＳ-ＳＣＣＨの送信フレームタイミングとＨＳ-ＰＤＳＣＨの送信フレームタイミングがずれているために、ＨＳチャネルに割り当てられた送信電力リソースが完全に活用できないことについては説明した。 
ここで、図５を参照して、Ｅ-ＡＧＣＨの送信フレームタイミングを、ＨＳ-ＳＣＣＨの送信タイミングに合わせた場合の送信電力リソースのＨＳ-ＰＤＳＣＨに対する割り当て効率の更なる低下について説明する。
【００７３】
無線基地局ＮｏｄｅＢは、Ｔ０において、ＨＳチャネル及びＥ-ＡＧＣＨに対する送信電力リソースを割り当てている。
【００７４】
そして、無線基地局ＮｏｄｅＢは、Ｔ２において、ＨＳ-ＳＣＣＨサブフレーム＃１の送信を開始している。ここで、無線基地局ＮｏｄｅＢは、ＨＳ-ＳＣＣＨサブフレーム＃１によって、ＨＳ-ＰＤＳＣＨサブフレーム＃１のＴＢＳを送信する必要がある。すなわち、Ｔ１において、ＨＳ-ＰＤＳＣＨサブフレーム＃１に割り当てられる送信電力リソースが既に決まっている必要がある。
【００７５】
そして、ＨＳ-ＰＤＳＣＨサブフレーム＃１に割り当てられる送信電力リソースを決めるには、ＨＳ-ＳＣＣＨサブフレーム＃２に割り当てる送信電力リソースが決まっている必要がある、すなわち、どの移動局ＵＥに対してＨＳ-ＰＤＳＣＨサブフレーム＃２を割り当てるのかについて決まっている必要がある。
【００７６】
さらに、ＨＳ-ＰＤＳＣＨサブフレーム＃１に割り当てられる送信電力リソースを決めるには、Ｅ-ＡＧＣＨサブフレーム＃２に割り当てられる送信電力リソースが決まっている必要がある、すなわち、どの移動局ＵＥに対してＥ-ＡＧＣＨサブフレーム＃２を割り当てるのかについて決まっている必要がある。
【００７７】
例えば、無線基地局ＮｏｄｅＢは、Ｔ１までには、どの移動局ＵＥに対してＨＳ-ＳＣＣＨサブフレーム＃２を割り当てるのか、また、どの移動局ＵＥに対してＥ-ＡＧＣＨサブフレーム＃２を割り当てるのかについて既にスケジュールしている必要がある。
【００７８】
そして、無線基地局ＮｏｄｅＢは、ＨＳ-ＳＣＣＨサブフレーム＃１に割り当てられる送信電力リソースとＥ-ＡＧＣＨサブフレーム＃１に割り当てられる送信電力リソースとの和の方が、ＨＳ-ＳＣＣＨサブフレーム＃２に割り当てられる送信電力リソースとＥ-ＡＧＣＨサブフレーム＃２に割り当てられる送信電力リソースとの和よりも高いので、ＨＳ-ＰＤＳＣＨサブフレーム＃１に割り当てる送信電力リソースを、Ｔ０においてＨＳチャネル及びＥ-ＡＧＣＨに割り当てられた送信電力リソースからＨＳ-ＳＣＣＨサブフレーム＃１及びＥ-ＡＧＣＨ＃１に割り当てられた送信電力リソースを引いたものとする。
【００７９】
かかる場合、図５にも示すように、ＨＳ-ＰＤＳＣＨサブフレーム＃１の１スロット目では、ＨＳチャネル及びＥ-ＡＧＣＨに割り当てられた送信電力リソースが無駄なく活用されているが、ＨＳ-ＰＤＳＣＨサブフレーム＃１の２スロット目と３スロット目では、ＨＳ-ＳＣＣＨサブフレーム＃２及びＥ-ＡＧＣＨサブフレーム＃２に割り当てられる送信電力リソースがＨＳ-ＳＣＣＨサブフレーム＃１及びＥ-ＡＧＣＨサブフレーム＃１に割り当てられる送信電力リソースよりも大幅に少ないため、送信電力リソースが完全にＨＳ-ＰＤＳＣＨに割り当てられていない。
【００８０】
このように、本実施形態のような構成では、ＨＳ-ＳＣＣＨの送信タイミングに加えて、Ｅ-ＡＧＣＨの送信フレームタイミングが、ＨＳ-ＰＤＳＣＨの送信フレームタイミングと異なっているため、ＨＳ-ＰＤＳＣＨに対する送信電力リソースの割り当て効率が一層悪くなっている。
【００８１】
次に、図６を参照して、本実施形態に係る移動通信システムのように、Ｅ-ＡＧＣＨの送信フレームタイミングがＨＳ-ＰＤＳＣＨの送信フレームタイミングと一致している場合、ＨＳ-ＰＤＳＣＨに対する送信電力の割り当て効率の低下を防げることができる原理について説明する。
【００８２】
図６に示すように、Ｅ-ＡＧＣＨの送信フレームタイミングをＨＳ-ＰＤＳＣＨの送信フレームタイミングに合わせると、次の２点が改善される。
【００８３】
第１に、本実施形態に係る移動通信システムによれば、図５を用いて説明した「ＨＳ-ＰＤＳＣＨに対する送信電力リソースの割り当て効率の更なる低下」を防げることができる。このことは、図６におけるＨＳ-ＰＤＳＣＨサブフレーム＃２を参照することで明らかである。
【００８４】
図５の例では、ＨＳ-ＰＤＳＣＨサブフレーム＃２に割り当てられる送信電力リソースが、Ｅ-ＡＧＣＨサブフレーム＃３の所要送信電力により制限されていたのが、図６の例では、かかる制限については改善されている。
【００８５】
第２に、本実施形態に係る移動通信システムによれば、Ｅ-ＡＧＣＨの送信フレームタイミングを、ＨＳ-ＰＤＳＣＨの送信フレームタイミングに合わせることにより、無線基地局ＮｏｄｅＢは、Ｅ-ＡＧＣＨのスケジューリングに、より時間をかけられるようになっている。
【００８６】
図５の例では、無線基地局ＮｏｄｅＢは、Ｔ１で、どの移動局ＵＥに対してＥ-ＡＧＣＨサブフレーム＃２を割り当てるのかについて決める必要があったのに対して、図６の例では、無線基地局ＮｏｄｅＢは、Ｔ１で、どの移動局ＵＥに対してＥ-ＡＧＣＨサブフレーム＃１を割り当てるのかについて決めればよくなった。
【００８７】
すなわち、図５の例では、無線基地局ＮｏｄｅＢは、Ｅ-ＡＧＣＨサブフレームを送信する３スロットと少し前に、どの移動局ＵＥに対して当該Ｅ-ＡＧＣＨサブフレームを割り当てるのかについて決める必要があったのに対して、図６の例では、無線基地局ＮｏｄｅＢは、Ｅ-ＡＧＣＨサブフレームを送信する２スロットと少し前に、どの移動局ＵＥに対して当該Ｅ-ＡＧＣＨサブフレームを割り当てるのかについて決めればよくなった。
【００８８】
これにより、無線基地局ＮｏｄｅＢにおけるスケジューリング負荷が軽減される。
【００８９】
図３に示すように、本実施形態に係る移動局ＵＥは、ＨＳ-ＳＣＣＨ受信部３１と、ＨＳ-ＰＤＳＣＨ受信部３２と、Ｅ-ＡＧＣＨ受信部３３とを具備している。
【００９０】
ＨＳ-ＳＣＣＨ受信部３１は、無線基地局ＮｏｄｅＢによって所定の送信フレームタイミングで送信されているＨＳ-ＳＣＣＨを受信するように構成されている。
【００９１】
ＨＳ-ＰＤＳＣＨ受信部３２は、無線基地局ＮｏｄｅＢによって所定の送信フレームタイミングで送信されているＨＳ-ＰＤＳＣＨを受信するように構成されている。
【００９２】
なお、ＨＳ-ＰＤＳＣＨ受信部３２は、Ｅ-ＡＧＣＨ（上り伝送速度割当共有物理制御チャネル）の送信フレームタイミングと、ＨＳ-ＰＤＳＣＨ（下りデータ伝送共有物理チャネル）の送信フレームタイミングとが一致していると想定して、ＨＳ-ＰＤＳＣＨ（下りデータ伝送共有物理チャネル）を受信するように構成されている。
【００９３】
Ｅ-ＡＧＣＨ受信部３３は、無線基地局ＮｏｄｅＢによって所定の送信フレームタイミングで送信されているＥ-ＡＧＣＨを受信するように構成されている。
【００９４】
なお、Ｅ-ＡＧＣＨ受信部３３は、Ｅ-ＡＧＣＨ（上り伝送速度割当共有物理制御チャネル）の送信フレームタイミングと、ＨＳ-ＰＤＳＣＨ（下りデータ伝送共有物理チャネル）の送信フレームタイミングとが一致していると想定して、Ｅ-ＡＧＣＨ（上り伝送速度割当共有物理制御チャネル）を受信するように構成されている。
【図面の簡単な説明】
【００９５】
【図１】本発明の一実施形態に係る移動通信システムにおけるチャネル構成を示す図である。
【図２】本発明の一実施形態に係る移動通信システムにおける無線基地局の機能ブロック図である。
【図３】本発明の一実施形態に係る移動通信システムにおける移動局の機能ブロック図である。
【図４】本発明の一実施形態に係る移動通信システムにおいて、送信電力リソースを割り当てる動作を示すフローチャートである。
【図５】本発明の一実施形態に係る移動通信システムにおいて、下りチャネルのフレームタイミングを調整する例を示す図である。
【図６】本発明の一実施形態に係る移動通信システムにおいて、下りチャネルのフレームタイミングを調整する例を示す図である。
【図７】従来の移動通信システムで用いられるＨＳＤＰＡについて説明するための図である。
【図８】本発明の一実施形態に係る移動通信システムにおいて、送信電力リソースを割り当てる例を示す図である。
【図９】従来の移動通信システムにおいて、移動局が無線基地局に対してＥ-ＤＰＤＣＨを送信する様子を示す図である。
【図１０】従来の移動通信システムにおいて、移動局によって送信されるＥ-ＤＰＤＣＨの送信電力を制御する様子を示す図である。
【図１１】従来の移動通信システムにおいて、移動局によって送信されるＥ-ＤＰＤＣＨの送信電力を制御する様子を示す図である。
【符号の説明】
【００９６】
ＮｏｄｅＢ…無線基地局
１１…送信電力リソース割り当て部
１２…ＨＳ-ＳＣＣＨ送信部
１３…ＨＳ-ＰＤＳＣＨ送信部
１４…Ｅ-ＡＧＣＨ送信部
ＵＥ…移動局
３１…ＨＳ-ＳＣＣＨ受信部
３２…ＨＳ-ＰＤＳＣＨ受信部
３３…Ｅ-ＡＧＣＨ受信部
【図１】
2006217190.tif 000003
【図２】
2006217190.tif 000004
【図３】
2006217190.tif 000005
【図４】
2006217190.tif 000006
【図５】
2006217190.tif 000007
【図６】
2006217190.tif 000008
【図７】
2006217190.tif 000009
【図８】
2006217190.tif 000010
【図９】
2006217190.tif 000011
【図１０】
2006217190.tif 000012
【図１１】
2006217190.tif 000013